(57)【要約】【課題】ケース内の各種部品のレイアウトの制約を緩和でき、ケースにおける変形を防ぐことができるようにすること。【解決手段】パネル（Ｐ）に形成された開口部（Ｐ１）に、取付具（２０）を介して温度調節計（１０）を取り付ける。温度調節計は、開口部に挿入されるケース（１１）を備えている。ケースには被係合部（１５）が設けられ、この被係合部に係合する係合部（２３）を取付具は有している。取付具は、開口部の内側に入り込む挿入部（２２）を備えている。挿入部は、ケースに設けられた収容部（１３）に収容され、収容部は、開口部に連通する位置に形成される。【選択図】図３
2016201406.tif 000002
【特許請求の範囲】
【請求項１】
所定のパネルに形成された開口部に制御機器を挿入した状態で取り付ける取付具において、
前記制御機器は、前記開口部に挿入されるケースを備え、該ケースには被係合部が設けられ、
前記被係合部に係合する係合部と、前記開口部の内側に入り込む挿入部とを備えていることを特徴とする制御機器の取付具。
【請求項２】
前記挿入部は、前記開口部の内側に入り込んだときに、該開口部の内周面に当接することを特徴とする請求項１に記載の制御機器の取付具。
【請求項３】
前記挿入部は、くさび状に形成され、前記開口部の内側に入り込んだときに、前記開口部の内周面に食い込むように当接することを特徴とする請求項１に記載の制御機器の取付具。
【請求項４】
前記挿入部と前記係合部とが離れる方向の弾性力を発揮する弾性変形部を更に備えていることを特徴とする請求項１ないし３のいずれかに記載の制御機器の取付具。
【請求項５】
所定のパネルに形成された開口部に、取付具を介して制御機器を取り付ける取付構造において、
前記制御機器は、前記開口部に挿入されるケースを備え、該ケースには被係合部が設けられ、
前記取付具は、前記被係合部に係合する係合部と、前記開口部の内側に入り込む挿入部とを備えていることを特徴とする制御機器の取付構造。
【請求項６】
前記ケースには、前記挿入部を収容する収容部が設けられ、該収容部は、前記開口部に連通する位置に形成されることを特徴とする請求項５に記載の制御機器の取付構造。
【請求項７】
前記挿入部及び前記収容部における前記パネルの厚さ方向に直交する方向の各幅は、略同一に形成されていることを特徴とする請求項６に記載の制御機器の取付構造。
【請求項８】
前記挿入部は、弾性変形して前記収容部の形成面に力を付与することを特徴とする請求項６に記載の制御機器の取付構造。
【請求項９】
所定のパネルに形成された開口部に、取付具を介して取り付けられる制御機器において、
前記開口部に挿入されるケースを備え、該ケースには被係合部が設けられ、
前記取付具は、前記被係合部に係合する係合部と、前記開口部の内側に入り込む挿入部とを備え、
前記ケースには、前記挿入部を収容する収容部が設けられ、該収容部は、前記開口部に連通する位置に形成されることを特徴とする制御機器。
【請求項１０】
前記収容部は、前記パネルの厚さ方向に延在するスロット穴若しくは溝によって形成されることを特徴とする請求項９に記載の制御機器。
【発明の詳細な説明】
【技術分野】
【０００１】
本発明は、パネルの開口部に挿入した状態で取り付けられる制御機器の取付具、制御機器の取付構造及び制御機器に関する。
【背景技術】
【０００２】
特許文献１に開示されるように、各種の制御機器においては、パネルに形成された開口部に挿入された状態で取り付けられる。この取り付けでは、パネルの前面側から制御機器のケースを開口部に挿入した後、パネルの後面側であってケースの上下両側に取付具を装着している。
【０００３】
特許文献１の制御機器において、ケースの上下各面には鋸刃状の被係合部が形成され、この被係合部の近傍にはパネル側に延在する一対の保持溝が形成されている。保持溝は、ケースの内外を通じるように貫通して形成されている。
【０００４】
特許文献１の取付具は、細長い支持板と、この支持板の下面に形成されてケースの被係合部に係合する係合部と、支持板のパネル側に設けられた圧縮部と、支持板から突設された抑え片とを有している。取付具によって制御機器を取り付ける場合、圧縮部をパネルの後面側に当接して圧縮させつつ、係合部と被係合部とを係合させた状態とする。この状態において、抑え片は、ケースの保持溝内に挿通される。抑え片は、Ｌ型に屈曲形成されるので保持溝から抜けないようになり、これにより、ケースから取付具が離脱することが規制される。
【先行技術文献】
【特許文献】
【０００５】
【特許文献１】特開平１１−１６０１０９号公報
【発明の概要】
【発明が解決しようとする課題】
【０００６】
上記取付具にあっては、抑え片が保持溝から抜けないようにするため、抑え片の先端がケースの内側に入り込むように配設される。このため、保持溝周りのケース内では、プリント基板等の各種部品が抑え片との接触を回避するため、各種部品を小さくしたり、保持溝から離れた設置位置にしたりすることが必要になる。その結果、ケース内の各種部品のレイアウトについて制約が大きくなる、という問題がある。
【０００７】
また、鋸刃状の被係合部の近傍に保持溝を形成すると、ケースにおける保持溝周りの剛性が低下する。保持溝周りには、放熱用の穴が多数形成されるので、剛性低下が著しくなり、ケースから取付具が離脱する方向の力が加わると、保持溝周りにおいてケースが変形し易くなる、という問題もある。
【０００８】
本発明は、かかる点に鑑みてなされたものであり、ケース内の各種部品のレイアウトの制約を緩和することができる制御機器の取付具、制御機器の取付構造及び制御機器の提供を目的とする。
【０００９】
また、本発明は、ケースにおける変形を防ぐことができる制御機器の取付具、制御機器の取付構造及び制御機器の提供を目的とする。
【課題を解決するための手段】
【００１０】
本発明の制御機器の取付具は、所定のパネルに形成された開口部に制御機器を挿入した状態で取り付ける取付具において、前記制御機器は、前記開口部に挿入されるケースを備え、該ケースには被係合部が設けられ、前記被係合部に係合する係合部と、前記開口部の内側に入り込む挿入部とを備えていることを特徴とする。
【００１１】
この構成によれば、開口部の内側に挿入部が入り込むことで、ケースから取付具が離れる方向に変位することを規制することができる。かかる変位の規制によって、従来のように取付具の一部がケースの内側に入り込む構成を採用しなくてよくなり、ケース内の各種部品についてレイアウト上の制約をなくすことができる。しかも、従来のように被係合部近傍に保持溝を形成せずに、それらを離すことができ、被係合部周りの剛性低下を抑制することができる。更には、挿入部から加わる力を開口部に作用させることができ、ケースの変形を回避することができる。
【００１２】
前記挿入部は、前記開口部の内側に入り込んだときに、該開口部の内周面に当接するとよい。この当接した状態によって、挿入部の変位を規制し、ひいては、取付具全体の変位を規制することができる。
【００１３】
前記挿入部は、くさび状に形成され、前記開口部の内側に入り込んだときに、前記開口部の内周面に食い込むように当接するとよい。この構成では、開口部に対して挿入部をより良く固定した状態とすることができる。
【００１４】
前記挿入部と前記係合部とが離れる方向の弾性力を発揮する弾性変形部を更に備えているとよい。この構成では、係合部が挿入部から離れる方向に変位しても、弾性変形部の弾性力によって挿入部が開口部に入り込んだ状態を維持することができる。
【００１５】
本発明の制御機器の取付構造は、所定のパネルに形成された開口部に、取付具を介して制御機器を取り付ける取付構造において、前記制御機器は、前記開口部に挿入されるケースを備え、該ケースには被係合部が設けられ、前記取付具は、前記被係合部に係合する係合部と、前記開口部の内側に入り込む挿入部とを備えていることを特徴とする。
【００１６】
前記ケースには、前記挿入部を収容する収容部が設けられ、該収容部は、前記開口部に連通する位置に形成されるとよい。この構成では、収容部に挿入部を収容してから、挿入部を開口部に入り込ませることができる。
【００１７】
前記挿入部及び前記収容部における前記パネルの厚さ方向に直交する方向の各幅は、略同一に形成されているとよい。この構成では、パネルの厚さ方向に直交する方向において、収容部内で挿入部の変位を規制することができる。
【００１８】
前記挿入部は、弾性変形して前記収容部の形成面に力を付与するとよい。この構成では、収容部内での挿入部が不用意に変位したり、がたついたりすることを回避することができる。
【００１９】
本発明の制御機器は、所定のパネルに形成された開口部に、取付具を介して取り付けられる制御機器において、前記開口部に挿入されるケースを備え、該ケースには被係合部が設けられ、前記取付具は、前記被係合部に係合する係合部と、前記開口部の内側に入り込む挿入部とを備え、前記ケースには、前記挿入部を収容する収容部が設けられ、該収容部は、前記開口部に連通する位置に形成されることを特徴とする。
【００２０】
前記収容部は、前記パネルの厚さ方向に延在するスロット穴若しくは溝によって形成されるとよい。この構成では、種々のパネルの厚さに対応することができる。
【発明の効果】
【００２１】
本発明によれば、ケース内の各種部品のレイアウトの制約を緩和することができる。また、挿入部からの力が開口部に作用するので、ケースにおける変形を防ぐことができる。
【図面の簡単な説明】
【００２２】
【図１】第１の実施の形態に係る温度調節計を上方から見た図である。
【図２】第１の実施の形態においてパネルに取り付けた状態の温度調節計を上方から見た図である。
【図３】図２を右側方から一部断面視して見た図である。
【図４】第１の実施の形態に係る取付具を前方から見た図である。
【図５】第１の実施の形態に係る取付具を右側方から見た図である。
【図６】図４のＡ矢視断面図である。
【図７】第２の実施の形態においてパネルに取り付けた状態の温度調節計を上方から見た図である。
【図８】図７を右側方から一部断面視して見た図である。
【図９】第３の実施の形態においてパネルに取り付けた状態の温度調節計を上方から見た図である。
【図１０】図９を右側方から一部断面視して見た図である。
【図１１】変形例に係る取付具の要部を拡大して上方から見た図である。
【図１２】図１２Ａは、他の変形例に係る取付具の要部を拡大して上方から見た図であり、図１２Ｂは、その要部を前方から見た図である。
【発明を実施するための形態】
【００２３】
以下、本発明に係る制御機器の取付構造の実施の形態について添付図面を参照して詳細に説明する。以下の各実施の形態では、制御機器として温度調節計を採用した場合を説明するが、制御機器としては、タイマーや、圧力計等の測定器を採用する等、下述するように取り付けを行える限りにおいて種々の機器を採用することができる。各実施の形態に係る温度調節計は、温度センサや熱電対等からの入力に対し、ヒータなどに出力を行って温度制御する装置である。なお、以下の説明において、特に明示しない限り、「上」、「下」、「左」、「右」、「前」、「後」は、各図において矢印で示した方向を基準として用いる。但し、以下の各実施の形態での各構成の向きは、一例にすぎず、任意の向きに変更することができる。
【００２４】
［第１の実施の形態］
図１は、第１の実施の形態に係る温度調節計を上方から見た図である。図１に示すように、温度調節計（制御機器）１０は、前後方向に延びる四角い筒状のケース１１と、ケース１１の前方に連設されたフランジ部１２とを備えている。本実施の形態では図示しないが、フランジ部１２の前面側には、測定値や設定値を表示する表示領域や、オペレータにより操作されるボタン等が設けられる。また、ケース１１の後面側には端子部が設けられ、ケース１１の内部にはプリント基板等が設けられるが、ここでは説明を省略する。
【００２５】
図２は、パネルに取り付けた状態の温度調節計を上方から見た図であり、図３は、図２を右側方から一部断面視して見た図である。図２及び図３に示すように、パネルＰには、前方から見た場合に矩形状の開口部Ｐ１が形成され、この開口部Ｐ１にケース１１が略隙間なく挿入される。そして、パネルＰの前面に、フランジ部１２の後面が接触することで、パネルＰに対する温度調節計１０の後方への変位が規制される。
【００２６】
ケース１１の上壁部１１ａには、前後方向（パネルＰの厚さ方向）に細長く延在するスロット穴状の収容部１３が形成されている。収容部１３は、上壁部１１ａの左右方向中間部に形成されている。収容部１３の前端は、フランジ部１２の後面に達する位置若しくはその近傍に形成されている。従って、収容部１３は、図２及び図３に示す取付状態で、開口部Ｐ１に連通する位置に形成される。収容部１３の前後長さについては後述する。
【００２７】
ケース１１の上壁部１１ａには、被係合部となる鋸刃状の凹凸部１５が形成されている。凹凸部１５は、前後方向において、鉛直面と傾斜面とが交互に位置し、傾斜面は、鉛直面の上端から後方に向かって次第に低くなるように形成されている。凹凸部１５は、収容部１３から所定距離後方に離れた位置に設けられている。なお、上壁部１１ａにおいて、凹凸部１５の左右両側及び後側には、放熱用の図示しない穴が万遍なく形成される。
【００２８】
ここで、ケース１１の下壁部１１ｂ（図２では不図示）は、上壁部１１ａを上下反転した形状に設けられ、収容部１３及び凹凸部１５を備えた形状とされる。上壁部１１ａ及び下壁部１１ｂの各凹凸部１５には、それぞれ取付具２０が係合して設けられており、２体の取付具２０を介して温度調節計１０がパネルＰに取り付けられる構造となる。ここで、２体の取付具２０は、同一構造とされ、上下の向きが相互に反対となっている。従って、以下の取付具２０の説明においては、上壁部１１ａに装着される取付具２０について説明し、下壁部１１ｂに装着される取付具２０についての説明は、省略又は簡略にする。
【００２９】
取付具２０は、パネルＰの後面に接触する接触部２１と、接触部２１の前側の下面に連なって設けられる挿入部２２と、凹凸部１５に係合する係合部２３と、接触部２１と係合部２３とを繋ぐように形成される本体部２４とを備えている。取付具２０は、ナイロン等の熱可塑性樹脂によって一体成形されている。
【００３０】
接触部２１は、上面視で円弧状に形成される弾性変形部２１ａと、この弾性変形部２１ａの左右両端から後方に延びて本体部２４の前端に連なる一対の連結部２１ｂとを備えている。接触部２１の弾性変形部２１ａ及び連結部２１ｂと、本体部２４の前端とによって上下に開通する開口を形成している。弾性変形部２１ａは、左右方向中央部が最も前方に膨らんでパネルＰの後面に接触するように設けられている。また、弾性変形部２１ａは、その円弧の曲率が変化するように弾性変形可能に設けられる。従って、弾性変形部２１ａは、パネルＰの後面に接触した状態で前後方向に圧縮させると、挿入部２２と係合部２３とが離れる方向の弾性力を発揮し、パネルＰの後面に押し付け力を付与可能となる。
【００３１】
図４は、取付具を前方から見た図である。図４にも示すように、挿入部２２は、弾性変形部２１ａの下面に連なり、且つ、弾性変形部２１ａ前端より前方に突出する突起状に形成されている。図２に示すように、挿入部２２は、その左右幅（パネルＰの厚さ方向に直交する方向の幅）が収容部１３の左右幅と略同一に形成され、収容部１３に収容可能な大きさに設けられている。従って、挿入部２２は、収容部１３内で、収容部１３の左右の形成縁に案内されて前後方向にスライド可能となる。挿入部２２が収容部１３に収容された状態で、挿入部２２における弾性変形部２１ａ下面から下方への突出量は、上壁部１１ａの厚さより小さく設定されている。つまり、挿入部２２は、上壁部１１ａの内面から下方に突出しない。
【００３２】
図５は、取付具を右側方から見た図であり、図６は、図４のＡ矢視断面図である。図５及び図６に示すように、係合部２３は、下端側が尖ったくさび状に形成され、凹凸部１５の凹んだ部分に係合可能に設けられている。係合部２３の前後各面は、下方に向かうに従って後方にそれぞれ傾斜しており、下端（先端）が凹凸部１５に食い込むように係合可能となる（図３参照）。
【００３３】
本体部２４は、接触部２１の後端に連なる中間部２４ａと、この中間部２４ａの後端に連なって後方に延在する板状部２４ｂとを備えている。図４に示すように、中間部２４ａは、接触部２１と略同一の左右幅に形成され、板状部２４ｂは、中間部２４ａ及び凹凸部１５より小さい左右幅に形成されている（図２参照）。また、図５に示すように、中間部２４ａは、接触部２１より厚みが大きく形成され、板状部２４ｂは、中間部２４ａ及び接触部２１より薄い厚みに形成されている。従って、板状部２４ｂは、前端を基部として後端側が上下に揺動するように弾性変形可能に設けられる。なお、板状部２４ｂ、中間部２４ａ及び接触部２１の下面は、平滑な同一面上に形成されている。
【００３４】
中間部２４ａの上面における左右方向中央部には、上方に膨らむ隆起部２４ｃが形成されている。隆起部２４ｃには、前後方向に貫通する雌ねじ部２６が形成され、この雌ねじ部２６には、頭部が後方に位置するようにねじ部材２７が螺合している。ねじ部材２７は、スクリュードライバ等によって回転操作することで、雌ねじ部２６に対して前後方向に変位可能となっている。
【００３５】
板状部２４ｂの下面における後方側に、上述した係合部２３が連なって形成されている。板状部２４ｂと係合部２３とは、同一の左右幅に形成されている。板状部２４ｂの後端側には、アングル状をなして上方に突出する突出部２４ｄが形成されている。突出部２４ｄは、その先端（後端）を指先で操作することで、板状部２４ｂより高い位置から本体部２４に外力を付与することができる。
【００３６】
ここで、挿入部２２が収容部１３に収容し得るようにするため、収容部１３の前後長さは、パネルＰの厚さに挿入部２２の前後幅を加えた長さより長く設定される。従って、収容部１３の前後長さは、温度調節計１０の取り付けを許容するパネルＰの厚さの最大値に挿入部２２の前後幅を加えた長さに設定される。
【００３７】
続いて、パネルＰへの温度調節計１０の取り付け方法を説明する。なお、かかる取り付け方法においても、２体の取付具２０の取扱いは上下反転する以外は同様に行われるので、ここでは、上壁部１１ａに取り付けられる取付具２０についてのみ説明する。
【００３８】
先ず、パネルＰの前面側から、温度調節計１０のケース１１を挿入し、フランジ部１２の後面とパネルＰの前面とを接触させる。次いで、収容部１３の内部に取付具２０の挿入部２２を挿入し、この挿入状態を維持しつつ、収容部１３によって挿入部２２を案内させながら取付具２０を前方にスライド移動する。すると、接触部２１の前端がパネルＰの後面に接触され、挿入部２２が開口部Ｐ１内に入り込み、開口部Ｐ１の内周面に当接される。これにより、図３に示すように、挿入部２２が開口部Ｐ１に嵌り合うようになり、取付具２０の前方領域における上方の変位若しくは回動が規制される。
【００３９】
この状態から、板状部２４ｂを上壁部１１ａの上面に押さえ付け、凹凸部１５に対して係合部２３を係合させる。次いで、指先で突出部２４ｄを下方に押さえつつ前方に押し込むと、弾性変形部２１ａの前後幅が圧縮するよう弾性変形され、凹凸部１５と係合部２３とでの係合を繰り返しながら、接触部２１より後側の各構成が徐々に前方に変位される。そして、弾性変形部２１ａの弾性によって、係合部２３の先端が凹凸部１５に食い込んで係合し、係合部２３等の接触部２１より後側の各構成の後方への変位が規制される。
【００４０】
弾性変形部２１ａの前後幅が所定幅となるまで圧縮されると、弾性変形部２１ａの弾性力によって、係合部２３と接触部２１とで前後に突っ張った状態になる。これにより、パネルＰに対し、フランジ部１２と取付具２０とで前後から挟み込み力を加えることができ、温度調節計１０の前方への移動を規制して位置決めすることができる。
【００４１】
上述のように挟み込み力を加えると、取付具２０の接触部２１側（前側）が上方に変位して上壁部１１ａから離れる力が作用する。本実施の形態では、開口部Ｐ１の内周面に挿入部２２が接触するので、かかる上方の変位を規制することができる。
【００４２】
この状態において、弾性変形部２１ａの弾性力によって、パネルＰに対する温度調節計１０の取り付け状態が十分に維持される場合には、取付具２０よる温度調節計１０の取り付けが完了する。一方、温度調節計１０の取り付け状態が十分でない場合には、パネルＰに対するフランジ部１２と取付具２０との挟み込み力を高めるため、下述する作業を行う。従って、上述のように温度調節計１０を位置決めした状態は、仮固定された状態となる。
【００４３】
この仮固定された状態から、ねじ部材２７をねじ込むことで前方に変位させ、ねじ部材２７の先端をパネルＰの後面に当接させる。そして、ねじ部材２７を更にねじ込むと、ねじ部材２７が前後に変位せず、雌ねじ部２６等の接触部２１より後側の各構成に対し、後方に変位する力が作用する。これにより、くさび状をなす係合部２３の先端が凹凸部１５に更に食い込み、パネルＰに加わる挟み込み力を強くすることができる。このとき、係合部２３等の弾性変形によって、接触部２１より後側の各構成が若干後方に変位しても、圧縮された弾性変形部２１ａの前後幅が大きくなるよう変形し、接触部２１とパネルの後面との接触状態が維持される。従って、挿入部２２が開口部Ｐ１内に入り込んだ状態も維持され、開口部Ｐ１の内周面に挿入部２２が接触した状態も維持される。
【００４４】
上述のようにねじ部材２７をねじ込む際にも、取付具２０の接触部２１側（前側）が上方に変位して上壁部１１ａから離れる力が作用する。この力に対しても、開口部Ｐ１の内周面に挿入部２２が接触することで、かかる上方の変位を規制することができる。これにより、パネルＰに対する温度調節計１０の取り付け状態を安定且つ強固なものとすることができる。
【００４５】
以上のように、第１の実施の形態によれば、挿入部２２はケース１１の内部に突出するものでないので、ケース１１内の各種部品が挿入部２２との接触を回避するために、レイアウト上の制約を受けないようにすることができる。また、収容部１３が被係合部１５から前方に離れた位置に形成されるので、多数の放熱用の穴が形成されたケース１１の剛性低下を抑制することができる。しかも、取付具２０の接触部２１側が上方に変位する力が作用しても、上壁部１１ａから接触部２１等が離れないよう、挿入部２２が開口部Ｐ１に当接して嵌るようになり、ケース１１に力が作用しないようにしてケース１１の変形を防ぐことができる。
【００４６】
また、フランジ部１２の後面をパネルＰの前面に接触させた状態で、収容部１３が開口部Ｐ１に連通する位置に形成されるので、収容部１３内の挿入部２２が開口部Ｐ１に入り込むように案内することができる。
【００４７】
次いで、第１の実施の形態とは異なる第２及び第３の実施の形態について説明する。なお、第２及び第３の実施の形態において、第１の実施の形態と同一若しくは同等の構成部分については同一符号を用いる場合があり、説明を省略若しくは簡略にする場合がある。
【００４８】
［第２の実施の形態］
図７は、第２の実施の形態においてパネルに取り付けた状態の温度調節計を上方から見た図であり、図８は、図７を右側方から一部断面視して見た図である。図７及び図８に示すように、第２の実施の形態に係る取付具２０の接触部４１は、上面視で、第１の実施の形態の接触部２１（図２参照）のように内側に開口を形成せず、当該開口を埋めたような板状に形成される。接触部４１は、第１の実施の形態の接触部２１と同様の外縁形状に形成される。
【００４９】
第２の実施の形態において、本体部２４の板状部４４ｂは、前方の第１形成体４４ｂａと、後方の第２の形成体４４ｂｂとを備え、それらの間にスペースを介して前後に分割されて形成されている。第１形成体４４ｂａと第２の形成体４４ｂｂとの左右両側は、上面視でＵ字状となる弾性変形部４６によって連結されている。弾性変形部４６は、前後幅が変化するように弾性変形可能に設けられる。従って、弾性変形部４６は、パネルＰの後面に接触部４１の前端を接触した状態で前後方向に圧縮させると、パネルＰの後面に押し付け力を付与可能とされる。なお、第２の形成体４４ｂｂには、第１の実施の形態と同様に、係合部２３及び突出部２４ｄが連なって形成されている。
【００５０】
以上のように、第２の実施の形態においては、弾性変形部４６が第１の実施の形態の弾性変形部２１ａと同様に機能し、第１の実施の形態と同様の作用、効果を得ることができる。
【００５１】
［第３の実施の形態］
図９は、第３の実施の形態においてパネルに取り付けた状態の温度調節計を上方から見た図であり、図１０は、図９を右側方から一部断面視して見た図である。図９及び図１０に示すように、第３の実施の形態に係る取付具２０の接触部５１は、上面視で、第２の実施の形態の接触部４１と同様に形成される。第３の実施の形態に係る取付具２０は、第２の実施の形態に係る取付具２０に弾性変形部４６を設けない構成とされる。従って、第３の実施の形態の取付具２０は、弾性変形部４６のように前後幅が変化する部分がなくなり、温度調節計１０を取り付けるときに、手作業では係合部２３の先端が凹凸部１５に食い込まない若しくは食い込み難くなる。従って、ねじ部材２７をねじ込む前に、係合部２３と接触部５１とで前後に突っ張る力が弱い若しくは作用しなくなるので、ねじ部材２７をねじ込むときには、取付具２０が脱落したり変位しないよう手で押さえる作業が行われる。
【００５２】
なお、第３の実施の形態の取付具２０では、第１及び第２の実施の形態に比べ、凹凸部１５における鋸刃の前後幅が短く形成されている。
【００５３】
本発明は上記実施の形態に限定されず種々変更して実施することが可能である。また、上記実施の形態で説明した数値、寸法、材質、方向については特に制限はない。その他、本発明の目的の範囲を逸脱しない限りにおいて適宜変更することが可能である。
【００５４】
例えば、収容部１３は、ケース１１を形成する壁部の外面に形成され、前後方向に延在する有底の溝としてもよい。これによっても、収容部１３内に、挿入部２２等の取付具２０の構成がケース１１内に入り込まないようにすることができる。このように、収容部１３を溝とした場合、収容部１３の底面と、この底面に相対する挿入部２２の形成面に、相互に係合する波状面やジグザグ面をそれぞれ形成してもよい。これにより、温度調節計１０の取り付け後、収容部１３内での挿入部２２の前後方向の変位を規制することができる。
【００５５】
また、挿入部２２は、上述した形状の挿入部２２における前面や上下の各面に凹部を形成する等、種々の変更が可能である。具体的には、挿入部２２は、図１１に示すような形状に変更してもよい。図１１は、変形例に係る取付具の要部を拡大して上方から見た図である。図１１の挿入部２２は、左右一対の湾曲する片部材６１、６２からなり、これらの先端（前端）は、前方に向かうに従って次第に接近している。挿入部２２の先端部の左右幅は、収容部１３（図３参照）の左右幅より小さく形成され、挿入部２２の前後方向中間部の左右幅は、収容部１３の左右幅より大きく形成されている。従って、挿入部２２を先端部から収容部１３に挿入すると、片部材６１、６２が相互に接近するように弾性変形し、収容部１３の左右の形成面に力が加わるよう圧接した状態となる。これにより、収容部１３内での挿入部２２の左右のがたつきや、前後の変位を抑制することができる。
【００５６】
図１２Ａは、他の変形例に係る取付具の要部を拡大して上方から見た図であり、図１２Ｂは、その要部を前方から見た図である。図１２の挿入部２２は、前方及び上方に向かって尖ったくさび状に形成され、これにより、パネルＰの開口部Ｐ１の内周面に対し、挿入部２２が食い込むように当接するようになる。これにより、上述のように取付具２０を装着した状態で、開口部Ｐ１に対する挿入部２２の固定状態をより良く維持することができる。
【００５７】
また、挿入部２２の後端は、収容部１３に収容できる限りにおいて、上記各実施の形態に図示した位置よりもっと後方に位置させてもよく、例えば、第１の実施の形態の挿入部２２の後端が接触部２１の開口の内側になるよう形成してもよい。
【００５８】
また、挿入部２２を複数形成し（例えば左右２箇所形成し）、これに応じて収容部１３の形成数を増やしてもよい。
【００５９】
また、接触部２１、４１、５１の先端形状は、上面視でパネルＰの後面と平行に形成してもよいし、凹凸がある形状としてパネルＰの後面の複数箇所に散点的に接触するようにしてもよい。
【００６０】
被係合部１５と係合部２３とは、相互に係合できる限りにおいて、他の形状としてもよいが、上記各実施の形態のように形成した方が、弾性変形部２１ａ、４６が発揮する弾性力を調整できる点で有利となる。また、弾性変形部２１ａ、４６は、上記実施の形態と同様に力を作用させることができる限りにおいて、形成位置や形状を変更してもよい。
【００６１】
また、接触部２１、４１、５１の大きさは、その左右幅を本体部２４の左右幅と同一にしたり、本体部２４の左右幅より小さくしたりする等、変更してもよい。
【００６２】
また、収容部１３及び被係合部１５の形成位置及び取付具２０の装着位置は、ケース１１の上壁部１１ａ及び下壁部１１ｂに限られるものでなく、ケース１１の左右の壁部に追加若しくは変更してもよい。
【００６３】
また、上述したように、取付具２０において、ねじ部材２７を用いずに温度調節計１０を取り付けできる場合には、ねじ部材２７及び雌ねじ部２６の形成を省略してもよい。
【符号の説明】
【００６４】
１０  温度調節計（制御機器）
１１  ケース
１３  収容部
１５  凹凸部（被係合部）
２０  取付具
２１ａ  弾性変形部
２２  挿入部
２３  係合部
４６  弾性変形部
Ｐ  パネル
Ｐ１  開口部
【図１】
2016201406.tif 000003
【図２】
2016201406.tif 000004
【図３】
2016201406.tif 000005
【図４】
2016201406.tif 000006
【図５】
2016201406.tif 000007
【図６】
2016201406.tif 000008
【図７】
2016201406.tif 000009
【図８】
2016201406.tif 000010
【図９】
2016201406.tif 000011
【図１０】
2016201406.tif 000012
【図１１】
2016201406.tif 000013
【図１２】
2016201406.tif 000014